(57)【特許請求の範囲】
【請求項１】
空気を吸い込む吸込口と、吸い込まれた空気を排出する排出口と、を有するフードと、
前記フード内に設けられるファンと、
前記ファンの円周上に設けられるフィルターと、
前記ファンを包括するケーシングと、
前記ファンの吸込口を覆う蓋と、を備え、
前記ケーシング内部において、前記フィルターは洗浄液に浸漬され、
前記蓋は、複数の開閉板を有し、
前記蓋が閉じている状態では、前記開閉板は前記ファンの吸込口を覆い、洗浄液が前記ケーシングの外部へ飛散することを抑制し、
前記蓋が開いている状態では、前記開閉板は前記吸込口の外周に収められることを特徴とするレンジフード。
【発明の詳細な説明】
【技術分野】
【０００１】
本発明は、洗浄液のケーシング外への滴下防止に関するものである。
【背景技術】
【０００２】
従来、この種のレンジフードは、調理で発生する油煙や埃等を捕集する目的としてフィルターが取り付けられているものが知られている（例えば、特許文献１参照）。
【０００３】
以下、そのレンジフードについて図３を参照しながら説明する。
【０００４】
図３は、特許文献１に開示されている従来のレンジフード１００の構成図である。油等の汚れを含む空気１０１は、吸込口１０２を通過して排気装置１０３の前方に配置されたフィルター１０４を通過する。センサー１０６がフィルター１０４の汚れを検知すると、駆動装置１０５がフィルター１０４を回転させて、汚れを遠心力で除去する。
【０００５】
また、この種のレンジフードには、調理で発生する油煙や埃等を捕集する目的としてフィルターを取り付け、そこのフィルターを洗浄液に浸漬させて洗浄するものもある（例えば、特許文献２参照）。
【０００６】
以下、そのレンジフードについて図４を参照しながら説明する。
【０００７】
図４は、特許文献２に開示されている他の従来のレンジフード２００の構成図である。レンジフード２００は、吸込口２０１とファン２０２との間に設けられるフィルター２０３を備える。フィルター２０３は、略水平に延びる回転軸２０４で回転できる。フィルター２０３の回転軸２０４より下方の部分が、洗浄タンク２０６に収容された洗浄液２０５に浸漬される。フィルター２０３の回転軸２０４より上方の部分には、油、埃等の汚れを含む空気が通過してその汚れが付着している。フィルター２０３を回転軸２０４で回転させることで、汚れが付着した部分を回転軸２０４より下方に位置させて洗浄液２０５に浸漬させて洗浄する。
【先行技術文献】
【特許文献】
【０００８】
【特許文献１】特開平３−１６４６３９号公報
【特許文献２】特開平６−１３７６３０号公報
【発明の概要】
【発明が解決しようとする課題】
【０００９】
このような従来のレンジフードにおいては、ファンの洗浄力を向上させるためファンの回転数が増すとファンと洗浄液との衝突力が増し洗浄液が洗浄タンク機能を兼ね備えた送風用のケーシングの外へ飛散しコンロ上へ滴下する恐れがある、という課題があった。
【００１０】
そこで本発明は、上記従来の課題を解決するものであり、ファンの洗浄力を向上させるとともに洗浄液がコンロ上へ滴下することを防止することができるレンジフードを提供することを目的としている。
【課題を解決するための手段】
【００１１】
そして、この目的を達成するために、本発明の一態様に係るレンジフードは、空気を吸い込む吸込口と、吸い込まれた空気を排出する排出口と、を有するフードと、前記フード内に設けられるファンと、前記ファンの円周上に設けられるフィルターと、前記ファンを包括するケーシングと、前記ファンの吸込口を覆う蓋と、を備え、前記ケーシング内部において、前記フィルターは洗浄液に浸漬され、前記蓋は、複数の開閉板を有し、前記蓋が閉じている状態では、前記開閉板は前記ファンの吸込口を覆い、洗浄液が前記ケーシングの外部へ飛散することを抑制し、前記蓋が開いている状態では、前記開閉板は前記吸込口の外周に収められることとしたものであり、これにより所期の目的を達成するものである。
【発明の効果】
【００１２】
本発明によれば、洗浄液が蓋に当たって洗浄タンク機能を兼ね備えた送風用のケーシングに戻されることとなるので、ファンの洗浄力を向上させるとともに洗浄液がコンロ上へ
滴下することを防止することができる、という効果を得ることができる。
【図面の簡単な説明】
【００１３】
【図１】本発明の実施の形態１におけるレンジフードを示す側面構成図
【図２】同レンジフードの蓋の開閉状態を示す詳細図
【図３】従来のレンジフードを示す側面断面図
【図４】同レンジフードを示す側面断面図
【発明を実施するための形態】
【００１４】
本発明の一態様に係るレンジフードは、空気を吸い込む吸込口と、吸い込まれた空気を排出する排出口と、を有するフードと、前記フード内に設けられるファンと、前記ファンの円周上に設けられるフィルターと、前記ファンを包括するケーシングと、前記ファンの吸込口を覆う蓋と、を備え、前記ケーシング内部において、前記フィルターは洗浄液に浸漬され、前記蓋は、複数の開閉板を有し、前記蓋が閉じている状態では、前記開閉板は前記ファンの吸込口を覆い、前記蓋が開いている状態では、前記開閉板は前記吸込口の外周に収められるという構成を有する。これにより、洗浄液が蓋に当たってケーシングに戻されることとなるので、ファンの洗浄力を向上させるとともに洗浄液がコンロ上へ滴下することを防止することができる、という効果を奏する。
【００１５】
また、蓋は、吸込口の外周に複数の開閉板を設けた、という構成にしてもよい。これにより、１枚の占有スペースが小さい複数の開閉板を回転させて吸込口を塞ぐこととなるので、蓋の保管するスペースを削減することができる、という効果を奏する。
【００１６】
以下、本発明の実施の形態について図面を参照しながら説明する。
【００１７】
（実施の形態１）
図１に示すように、本実施の形態１では、ガスコンロやＩＨコンロ等の厨房器具（図示せず）の上方に、厨房器具から発生する油煙や周囲に浮遊する埃等を捕集する方形状の整流板９の周囲に吸込口１を設けたフード２を壁面１１にねじ等で設置し、フード２の天面には屋外と連通したダクト３を介して連通する排出口４を設け、フード２の内部には排出口４の付近に設けた制御ができるＤＣ用のモーターである電動機１２の回転軸（図示せず）（通称シャフトと呼ばれる）に、円周面上に金属製（塗装した鉄やアルミなど）の油捕集機構部５を設けた例えばシロッコファンである羽根車６を回転自在に設置し、そして、羽根車６を包括した洗浄タンク機能を兼ね備えた送風用のケーシング７をも配設し、この羽根車６を介し吸込口１と排出口４を結ぶ通風路８を形成している。
【００１８】
また、羽根車６の吸込口１３に通風路８の風の流れを遮断する開閉自在の蓋１４を設ける。
【００１９】
上記構成において、フライパンやなべ等の厨房器具（図示せず）によって調理するとほぼ同時に電動機１２をＯＮにすると通電され回転軸を介して羽根車６が回転を開始する。そして、前記厨房器具からの油煙や周囲の埃等は、吸込口１から吸込まれ整流板９に接触して回り込みフード２内を通過して羽根車６に向かい、油捕集機構部５にて捕集される。そして、油捕集機構部５の洗浄を行う時は、吸込口１３を蓋１４で閉めて通風路８の風の流れを遮断する。
【００２０】
そして、洗浄タンク機能を兼ね備えた送風用のケーシング７の内部に洗浄液１０を注水して貯水させ、油捕集機構部５を浸漬させてから油捕集機構部５を回転させて洗浄液１０と衝突させる。
【００２１】
このような構成により、油捕集機構部５の回転数を増して油捕集機構部５と洗浄液１０との衝突力を増して洗浄液が飛散し始めても、吸込口１へ通じる通風路８は蓋１４により遮断されている、すなわち、洗浄液１０が蓋１４に当たって洗浄タンク機能を兼ね備えた送風用のケーシング７に戻されるため、洗浄液１０がケーシング７の外へ飛散し吸込口１を通過し結果コンロ上へ滴下することを防止することができる。
【００２２】
また、蓋１４の構成としては、図２に示すように、羽根車６の吸込口１３の外周に１枚の例えば１０〜２０％程度の占有スペースである小さい複数（ここでは８枚で記載）の開閉板１５を設ける。
【００２３】
そして、複数の開閉板１５が同時に吸込口１３の中心に向かって回転して、厨房器具から発生する油煙や周囲に浮遊する埃等が吸い込まれる吸込口１３の開口面積を変動させる。
【００２４】
このような構成により、蓋１４が開いている状態では複数の開閉板１５が羽根車６の吸込口１３の外周に収められているため、蓋１４を保管するスペースを削減することができる。
【産業上の利用可能性】
【００２５】
本発明にかかるレンジフードは、ファンの洗浄力を向上させるとともに洗浄液がコンロ上へ滴下することを防止することができることを可能とするものであるので、汚れを捕集する換気装置等にも適用することができる。
【符号の説明】
【００２６】
１    吸込口
２    フード
３    ダクト
４    排出口
５    油捕集機構部
６    羽根車
７    ケーシング
８    通風路
９    整流板
１０  洗浄液
１１  壁面
１２  電動機
１３  吸込口
１４  蓋
１５  開閉板
【図１】
0006535875.tif 000002
【図２】
0006535875.tif 000003
【図３】
0006535875.tif 000004
【図４】
0006535875.tif 000005